(57)【要約】  【課題】  本考案は、比較的柔らかい素材からなるブーツや背の高いブーツであってもブーツ自体の折れ曲がりを防止でき且つ保管状態のブーツの転倒を抑制することができ、更に防虫、防カビ、消臭、除湿効果を発現し得る良好な意匠性を有するブーツキーパを提供する。  【解決手段】左右一対のブーツの胴筒部に挿入して胴筒部を直立した形状に保持する一対のブーツキーパ本体を備え、該ブーツキーパ本体は、柱状乃至筒状に形成された硬質の芯材と、該芯材の外周を囲繞するクッション材と、クッション材の外面を被覆する外装カバー体とから構成され、一対のブーツキーパ本体は、互いを連結し、かつ一定の距離に近接して保持する長さを調節自在な紐状の連結体を有していることを特徴とする。  【選択図】  図２
0003131498.tif 000002
【実用新案登録請求の範囲】
【請求項１】
左右一対のブーツの胴筒部に挿入して胴筒部を直立した形状に保持する一対のブーツキーパ本体を備え、該ブーツキーパ本体は、柱状乃至筒状に形成された硬質の芯材と、該芯材の外周を囲繞するクッション材と、クッション材の外面を被覆する外装カバー体とから構成されていることを特徴とするブーツキーパ。
【請求項２】
一対のブーツキーパ本体は、互いを連結し、且、一定の距離に近接して保持し得る紐状の連結体を有していることを特徴とする請求項１記載のブーツキーパ。
【請求項３】
紐状の連結体は、近接状態保持手段により、その長さを調節自在であることを特徴とする請求項２記載のブーツキーパ。
【請求項４】
ブーツキーパ本体の上部に意匠性を有する頭部を備えることを特徴とする請求項１乃至３のいずれかに記載のブーツキーパ。
【請求項５】
頭部が、人や動物やキャラクタ等の頭部乃至顔部を模して形成したものであることを特徴とする請求項４記載のブーツキーパ。
【請求項６】
ブーツキーパ本体の下部に、脱臭剤乃至吸水剤或いはこれら両方を収容した容器を、交換可能に配設したことを特徴とする請求項１乃至５のいずれかに記載のブーツキーパ。
【考案の詳細な説明】
【技術分野】
【０００１】
本考案は、ブーツの型崩れを防止すると共に、保管時におけるブーツの転倒を抑制するブーツキーパに関する。
【背景技術】
【０００２】
従来、背の高いブーツ、所謂ロングブーツは、比較的硬い素材で造られていたため、ブーツキーパは、ブーツの胴筒部を円筒状に保持しうるものであれば充分であり、ブーツの胴筒部に挿入し得る長細い布袋の内部に中綿を封入した略円柱状のものであった。しかし近年、比較的柔らかい素材や薄手の生地で構成されるブーツが増えてきている。このような比較的柔らかい素材からなるブーツの中でも特に、ロングブーツにあっては、ブーツを脱いだ時、ブーツの胴筒部が容易に折れ曲がり、折れ曲がり部に癖やシワが発生し、ブーツの型崩れを招来している。従来のブーツキーパは、図５に示すように、左右の一対のブーツ(Ｂ)の胴筒部(Ｔ)に挿入される細長い布袋に中綿を封入した一対のブーツキーパ(１０１)は、容易に折れ曲がる構造であるため、ブーツを不折状態に保持する性能が不十分であり、胴筒部Ｔの中央部で折れ曲がってしまい、十分な型崩れ防止効果を得られなかった。
【０００３】
また、従来のブーツキーパ(１０１)では、ブーツを折れ曲がったりしないよう、不折状態に保持することができないだけでなく、ブーツの転倒を防止する機能がないため、図６に示すように、ブーツが自重で或いは何等かの衝撃を受けて転倒するおそれがある。特に背の高いブーツの場合、きわめて不安定であるために転倒しやすくなっているが、従来このようなブーツの転倒を効果的に防止する工夫がなされているものが無かった。
【考案の開示】
【考案が解決しようとする課題】
【０００４】
本考案は、上述の如くの問題点に鑑みてなされたものであり、比較的柔らかい素材からなるブーツや背の高いブーツであっても、ブーツ自体の折れ曲がりを防止でき、且、ブーツの転倒を抑制することができ、更に防虫、防カビ、消臭、除湿効果を発現し得る良好な意匠性を有するブーツキーパを提供せんとするものである。
【課題を解決するための手段】
【０００５】
上記課題を解決するために本考案が採った手段は、左右一対のブーツの胴筒部に挿入して胴筒部を直立した形状に保持する一対のブーツキーパ本体を備え、該ブーツキーパ本体は、柱状乃至筒状に形成された硬質の芯材と、該芯材の外周を囲繞するクッション材と、クッション材の外面を被覆する外装カバー体とから構成されていることを特徴とする。
【０００６】
一対のブーツキーパ本体は、互いを連結し、且、一定の距離に近接して保持する紐状の連結体を有し、該連結体は、近接状態保持手段によりその長さを調節自在であることを特徴とする。
【０００７】
ブーツキーパ本体の上部に意匠性を有する頭部を備え、例えば人や動物やキャラクタ等の頭部乃至顔部を模して形成したものであることを特徴とする。
【０００８】
ブーツキーパ本体の下部に、脱臭剤乃至吸水剤或いはこれら両方を収容した容器を、交換可能に配設したことを特徴とする。
【考案の効果】
【０００９】
本考案によれば、ブーツキーパ本体の内部に、ブーツの胴筒部に相当する長さの硬質の素材からなる芯材を配設したことにより、比較的柔らかい素材からなるブーツ、特にロングブーツであっても、ブーツの不使用時において、ブーツ自体の折れ曲がりを防止することが出来る。これによって、ブーツの折れ曲がり箇所にシワが出来ることも無くなる。また、該ブーツキーパの使用状態において、２つのブーツキーパ本体を近接させた状態に保持する、長さを調節可能な紐状の連結体からなる近接状態保持具を備えたことによって、１足のブーツを互いに連結して直立させることが出来、安定した直立状態を保持することが出来る。
【考案を実施するための最良の形態】
【００１０】
本考案の実施の形態を、以下に添付図面を参照しながら詳細に説明する。図１は、本考案を適用してなるブーツキーパ(１)の外観図である。図１に示すように、本実施態様のブーツキーパ(１)は、高さ方向に長く延びた２本のブーツキーパ本体(２)(２)と、それぞれのブーツキーパ本体(２)の上部に配設される頭部部材(４)と、ブーツキーパ(１)の下部に配設される足様をなす下端部材(３)とを備えている。一方の頭部部材(４)には、紐状をなす連結体(５)の一端が取り付けられ、他方の頭部部材(４)には、該連結体(５)の他端が取り付けられ、一対のブーツキーパは、互いに連結される。この連結体(５)は、その長さを調節自在な近接状態保持具(８)を備えている。
【００１１】
２つのブーツキーパ本体(２)(２)のそれぞれの上部に配設される頭部部材(４)は、子犬の首から上の部分即ち、頭部及び寝顔を模して形成して、意匠性を付与したものである。この頭部部材(４)の下端部には、犬の両前脚を模した前脚様部材(6a)(6b)を各々配設し、その下方には丸みを帯びた円板状の枕様部材(７)を配設しているが、ここでは該前脚様部材(6a)(6b)及び枕様部材(７)をも含めて頭部部材(４)という。
【００１２】
２つの頭部部材(４)(４)の後頭部位置に固着される紐状の連結体(５)は、殆ど伸縮性を有さず、所定の長さを有する紐材からなり、この連結体(５)を挿通して、該連結体(５)に沿って移動自在に配設される近接状態保持具(８)の抜脱を防止するための抜止具(９)が取り付けられる。
【００１３】
図２は、ブーツキーパ(１)の使用状態におけるブーツ(Ｂ)及びブーツキーパ(１)の縦断面図である。図２に示すように、本ブーツキーパ(１)の頭部部材(４)は、それぞれ可撓性を有する生地を、外形が所定の立体的な意匠形状になるように袋状に形成してなる頭部外装体(10)の内部に中綿(11)を封入してなる。この頭部部材(４)の下端に取り付けられるブーツキーパ本体(２)は、硬質な素材からなる高さ方向に延びた円筒状の芯材(12)と、この芯材(12)の下部に配設する、透水性を有する容器(13)に封入された吸水剤(14)と、これら芯材(12)と吸水剤(14)との周囲全体を、該芯材(12)及び吸水剤(14)の外形にほぼ沿って覆うクッション性を有するクッション材(15)と、これら芯材(12)、吸水剤(14)、クッション材(15)を内部に封入する、可撓性を有する生地からなる略円筒状の袋状をなす外装体(16)とを備える。吸水剤としては、例えば、シリカゲルを用いることが出来る。
【００１４】
本実施態様におけるブーツキーパ本体(２)は、ブーツ(Ｂ)の胴筒部(Ｔ)の高さとほぼ同等の高さを有する。従って、ブーツ(Ｂ)の胴筒部(Ｔ)の下端部のブーツ(Ｂ)内底面付近には、ブーツキーパ本体(２)の下端部が位置し、該下端部の内部に配設される吸水剤(14)が位置しており、ブーツ(Ｂ)内、特に爪先部から踵部に亘る空間に存在する水分を吸収して、該空間内を除湿出来るように構成する。
【００１５】
ブーツキーパ本体(２)の下端部に配設される下端部材(３)は、通気性を有する容器(17)に封入された脱臭剤(18)と、この脱臭剤(18)をその外形にほぼ沿って覆うクッション性を有するクッション材(19)と、これら脱臭剤(18)、クッション材(19)とを、その内部に収容して封止する可撓性を有する生地からなる、略回転楕円体状の袋状をなす下部外装体(20)とを備える。この下端部材(３)は、ブーツ(Ｂ)内部における爪先部と踵部のほぼ中間部位に位置し、この爪先部から踵部に亘る空間に存在する臭気等を吸着して、該空間内を脱臭出来るように構成する。脱臭剤(18)としては、例えば、活性炭を用いることが出来る。また、脱臭剤(18)や吸水剤(14)を交換可能に構成すれば、機能低下を来した脱臭剤(18)や吸水剤(14)を交換することも可能となる。
【００１６】
以上の如く構成したブーツキーパ(１)を使用する場合には、図３に示すように、一足のロングブーツをなす左右のブーツ(Ｂ)(Ｂ)それぞれの内部に、ブーツ(Ｂ)上端の開口から、本実施態様のブーツキーパ(１)の下端側を下にしつつ挿入し、ブーツキーパ本体(２)をブーツ(Ｂ)の胴筒部(Ｔ)に位置させる。ブーツ(Ｂ)の上端の開口部には、該開口部からブーツキーパ(１)の頭部部材(４)が突き出た様にして位置させる。この状態で、左右のブーツを揃えるように互いを接近させて、紐状の連結体(５)に装着された近接状態保持具(８)を、該連結体(５)の基端部に向って移動させて、適当な位置で該連結体(５)に対して固定する。こうすることで、ブーツ(Ｂ)は、その折れ曲がりが防止されると共に、左右のブーツが互いに近接状態で連結され、より高度な安定性が得られ、転倒抑制効果が得られるようになっている。
【００１７】
近接状態保持具(８)は、例えば、図４に示すように構成することが出来る。図４に示す近接状態保持具(８)は、中空状の略球形をなす本体(21)と、この内部に上下動可能に付勢して配設されるボタン部材(22)とを備えている。本体(21)は、該本体(21)を水平方向に貫通する貫通穴(23)と、この貫通穴(23)の方向に対して垂直方向上面部に貫穿される装着口(24)を有する。ボタン部材(22)は、断面形状が前記装着口(24)の外形とほぼ同等の略円柱状をなし、その側面に該円柱状部の直径方向に貫通した貫通孔(25)を有する。ボタン部材(22)の下端にはコイルスプリング(26)が配設され、該コイルスプリング(26)が本体(21)の内底面に位置するように、該本体(21)の上部の装着口(24)からボタン部材(22)と共に挿入される。
【００１８】
この状態において、ボタン部材(22)を本体(21)に対して押し込んだ際に、該ボタン部材(22)の上部が、該本体(21)の上端よりも上方に突き出るように、相互の大きさを設定する。ボタン部材(22)を本体(21)に対して押し込んだ状態において、それぞれに貫穿した貫通孔(25)と貫通穴(23)とが一直線状に並ぶように調整し、これら一連の孔穴に、二つ折りに束ねた状態の紐状の連結体(５)を挿通し、ボタン部材(22)の押し込みを解除する。この状態を示したのが図４である。このボタン部材(22)の押し込み解除の状態では、ボタン部材(22)は、コイルスプリング(26)によって上向きに付勢され、本体(21)の貫通穴(23)とボタン部材(22)の貫通孔(25)との位置がずれ、これによって孔穴に挿通されている連結体(５)が締め付けられて、連結体(５)上のその部位に固定されるようになっている。
【００１９】
勿論、ボタン部材(22)を本体(21)に対して押し込めば、貫通孔(25)と貫通穴(23)とが一直線状に揃って、連結体(５)を締め付けていた状態が開放されて弛まり、該近接状態保持具を連結体(５)上に沿って移動可能となる。本考案のブーツキーパ(１)は、上記構成の如くに構成されるが、その主旨を逸脱しない範囲において様々な形態で実施することができる。
【図面の簡単な説明】
【００２０】
【図１】本考案を適用してなるブーツキーパの外観図
【図２】本実施態様のブーツキーパの使用状態におけるブーツ及びブーツキーパの縦断面図
【図３】本実施態様のブーツキーパの使用状態における斜視図
【図４】一近接状態保持具の断面図
【図５】従来のブーツキーパの使用状態において、折れ曲がりが生じている状態を示す斜視図
【図６】従来のブーツキーパの使用状態において、転倒している状態を示す斜視図
【符号の説明】
【００２１】
１  ブーツキーパ
２  ブーツキーパ本体
３  下端部材
４  頭部部材
５  連結体
６ａ、ｂ  前脚様部材
７  枕様部材
８  近接状態保持具
９  抜止具
１０  頭部外装体
１１  中綿
１２  芯材
１３  容器
１４  吸水剤
１５  クッション材
１６  外装体
１７  容器
１８  脱臭剤
１９  クッション材
２０  下部外装体
２１  本体
２２  ボタン部材
２３  貫通穴
２４  装着口
２５  貫通孔
２６  コイルスプリング
１０１  従来のブーツキーパ
１０４  従来のブーツキーパの頭部部材
１０５  従来のブーツキーパの連結体
Ｂ  ブーツ
Ｔ  胴筒部
【図１】
0003131498.tif 000003
【図２】
0003131498.tif 000004
【図３】
0003131498.tif 000005
【図４】
0003131498.tif 000006
【図５】
0003131498.tif 000007
【図６】
0003131498.tif 000008